(57)【特許請求の範囲】
【請求項１】
電動機を内蔵した本体と、本体に回転可能に取付けられ、電動機により駆動されるのこ刃と、本体下方に回動可能に取付けられのこ刃下部が下面より突出するようにしたベースと、本体に設けられベース上方ののこ刃の本体側面をほぼ覆うギヤカバーと、ギヤカバーと相対しベース上方ののこ刃の本体反対側面をほぼ覆うソーカバーとを有し、本体に対してベースを傾斜させた傾斜切りが可能な携帯用集塵丸のこであって、
前記ソーカバー下端部と前記ベースとの間の隙間をソーカバーに対して上下動可能に設けられると共に、前記ベース上面に対して回動可能に取付けられ、前記本体に対して前記ベースを傾斜させる際の前記ベースの回動に連動して上方に移動可能な防塵カバーによって覆うようにしたことを特徴とする携帯用集塵丸のこ。
【請求項２】
前記防塵カバーを前記ソーカバー下端に設けると共に、前記防塵カバーを前記ベース側に付勢する付勢部材を設けたことを特徴とする請求項１記載の携帯用集塵丸のこ。
【発明の詳細な説明】
【０００１】
【発明の属する技術分野】
本発明はのこ刃側面に対してベースを傾斜させて切断する、いわゆる傾斜切りが可能な携帯用集塵丸のこに関するものである。
【０００２】
【従来の技術】
携帯用集塵丸のこは、切断時に発生する切粉が飛散しないようにするためにソーカバーによりベース上方ののこ刃のほぼ全体を覆うようにしている。
【０００３】
しかしながら、このような構成の携帯用集塵丸のこでは、ソーカバーの下端がベース上面と当接あるいは近接している構成のために、のこ刃に対してベースを傾斜させることができず、傾斜切りができないものであった。
【０００４】
上記したような傾斜切りを行うことができるようにした携帯用集塵丸のこの一例を図１２に示す。図１２は従来の携帯用集塵丸のこの一例を示す要部断面側面図であり、１は図示しない電動機を内蔵する本体、２はのこ刃、１０はギヤカバー、４はギヤカバー１０に取付けられたソーカバー、６は本体１に回動可能に取付けられたベース、１８はギヤカバー１０とソーカバー４とにより形成される切粉排出通路、１９は本体１内の電動機の回転軸、２０は回転軸１９にのこ刃２を取付ける固定部材であり、一点鎖線は傾斜切りに設定した際のベース６を示す。
【０００５】
図に示すようにベース６上方ののこ刃２の本体１側の面がギヤカバー１０により覆われていると共に、本体１反対側の面がソーカバー４によりほぼ覆われており、これにより切断時に発生する切粉が飛散することを防止するようにしている。
【０００６】
【発明が解決しようとする課題】
上記したような携帯用集塵丸のこは、図に示すようにベース６を傾斜させることができるようにするためにソーカバー４の下端がベース６上面から離れた個所に位置するよう構成されている。このため、通常の切断時すなわちベース６を傾斜させない状態での切断時にはソーカバー４の下端とベース６上面との間に隙間が生じ、この隙間から切粉が飛散してしまい、集塵率が悪いという欠点があった。
【０００７】
なお、図に示す携帯用集塵丸のこは一点鎖線で示したようにベース６を約４５°傾斜させることができるようにした構成であるが、ベース６を更に傾斜させることができる構成とした場合には、ソーカバー４下端とベース６上面との間に生じる隙間が大きくなり、集塵率が更に低下してしまうものである。
【０００８】
本発明の目的は、上記欠点を解消し、集塵率の良い傾斜切り可能な携帯用集塵丸のこを提供することである。
【０００９】
【課題を解決するための手段】
上記目的は、ソーカバー下端部に着脱可能又はベースの傾斜に連動して上方に移動する防塵カバーを設けることにより達成される。
【００１０】
【発明の実施の形態】
本発明携帯用集塵丸のこの一実施形態を図１〜図４を用いて以下説明する。図１は本発明携帯用集塵丸のこの一実施形態を示す正面図、図２は図１のＣ−Ｃ線拡大断面図、図３は図１の要部断面側面図、図４は本体１に対してベース６を傾斜させた状態を示す要部断面側面図である。
【００１１】
本体１の内部に内蔵された図示しない電動機により駆動されるのこ刃２により被切断材３を切断する際に発生する切粉は、ソーカバー４内において空気流と共に矢印Ａ方向に吹き上げられ、切粉排出口５から排出される。切粉排出口５には図示しない集塵機の接続ホースや集塵袋が切粉収納のため接続される。また、本体１下方にはベース６が本体１に対し回動可能に設けられている。
【００１２】
図に示すようにソーカバー４下端部には着脱可能な防塵カバー８が設けられている。図２に示すように防塵カバー８の両端部には弾性を有するフック９が設けられており、フック９はソーカバー４に設けられた固定部１１と係合可能となっている。
【００１３】
ソーカバー４の固定部１１にフック９を係合させることにより、防塵カバー８はソーカバー４下端部に取付けられ、フック９を図示Ｂ方向に付勢し弾性変形させることにより固定部１１とフック９との係合を解除し防塵カバー８をソーカバー４下端部から取外すことができる。
【００１４】
図１、図３はソーカバー４下端部に防塵カバー８を取付けた状態を示し、図に示すように防塵カバー８によってソーカバー４下端とベース６上面との間には隙間がなくなり、集塵率の低下を抑制することができる。
【００１５】
また、本体１に対してベース６を傾斜させた傾斜切りを行う際には、図４に示すように防塵カバー８を取り除くことにより従来同様傾斜切りが可能となる。
【００１６】
本発明携帯用集塵丸のこの他の実施形態を図５〜図７に示す。
【００１７】
図に示すようにソーカバー４下端部には長穴１２を有する防塵カバー８がネジ１４を介して上下動可能に取付けられている。また、防塵カバー８上方には防塵カバー８を常時ベース６側に付勢する板ばね１５が設けられており、これによって防塵カバー８下端は常にベース６上面と当接するようになっている。
【００１８】
このため、通常の切断時すなわちベース６を傾斜させない状態での切断時には防塵カバー８は図５、図６に示すように下方に位置しソーカバー４下端とベース６上面との間の隙間をなくして集塵率の低下を抑制している。
【００１９】
ベース６を本体１に対して傾斜させた傾斜切りを行う際には、ベース６の回動時に防塵カバー８はベース６上面によって上方に押し上げられソーカバー４に対して上昇位置に位置するようになり、この際においても防塵カバー８はソーカバー４下端とベース６上面との間の隙間をなくしている。
【００２０】
また、図７に示すようにベース６を本体１に対して傾斜させた状態から図６に示す状態にベース６を回動させる際には、板ばね１５の付勢力により防塵カバー８はベース６の回動に連動して下降し、防塵カバー８は下端が常にベース６上面と当接した状態を保つ。
【００２１】
このように、ソーカバー４下端部にベース６の回動に連動してソーカバー４に対し上昇・下降する防塵カバー８を設けた構成としたので、常にソーカバー４下端とベース６上面との間に隙間が発生するのを防止することができ、集塵率の低下を抑制することができると共に傾斜切り作業前に防塵カバー８を取り外す等の煩わしい作業を行う必要がなく、作業性を向上させることができる。
【００２２】
また、ベース６を本体１に対して傾斜させない状態とベース６を最大に傾斜させた状態以外の状態、すなわちベース６を僅かに傾斜させたような状態の時にもソーカバー４下端部とベース６上面との間に隙間が発生するのを防止して集塵率の低下を抑制することができる。
【００２３】
本発明携帯用集塵丸のこの他の実施形態を図８〜図１１に示す。
【００２４】
本実施形態は図５〜図７に示した実施形態と同様に傾斜切りを行う際に防塵カバー８を取り外す等の作業を行わなくとも良い構成としたものであり、図に示すように長穴１２を介してソーカバー４に取付けられるネジ１４によりソーカバー４下端部に上下動可能に保持された防塵カバー８の下端部をベース６上面に回動可能に取付けた構成をしている。
【００２５】
詳細に説明すると防塵カバー８の下端両端には外側方向に突出する凸部１６がそれぞれ設けられており、凸部１６はベース６上面のソーカバー４下端付近に設けられた貫通穴１７に回動可能に係合され、これによって防塵カバー８は凸部１６を支点として回動可能となっている。
【００２６】
防塵カバー８は、通常の状態すなわちベース６が本体１に対して傾斜していない状態では図８、図９に示すように下降位置に位置し、ベース６が本体１に対して傾斜されると凸部１６を支点として回動し図１１に示すようにソーカバー４に対して上昇位置に位置する。
【００２７】
図１１に示すように傾斜したベース６を図８に示すように通常の状態に復帰させると防塵カバー８は凸部１６を支点として回動し、ソーカバー４に対して下降位置に復帰する。
【００２８】
このように防塵カバー８はベース６の回動に連動してソーカバー４に対し上昇・下降するものであるので、常にソーカバー４下端とベース６上面との間に隙間が発生することを防止すると共に、傾斜切りの際に防塵カバー８を取り外さなくともよく作業性が良い。
【００２９】
なお、上記実施形態では本体１に対してベース６を約４５°傾斜させることができるようにした構成を示したが、４５°よりも大きい角度傾斜させることができる構成とした場合には、防塵カバー８の幅寸法を大きくすれば対応することができ、ソーカバー４に対して上下動可能に取付ける構成の場合には更に上下動範囲を大きく設定する必要がある。
【００３０】
【発明の効果】
本発明によれば、ソーカバー下端部に着脱可能又はベースの傾斜に連動して上方に移動する防塵カバーを設けたことにより、ソーカバー下端部とベース上面との間に隙間が発生することを防止し、集塵率の良い傾斜切り可能な携帯用集塵丸のこを提供することができるようになる。
【図面の簡単な説明】
【図１】本発明携帯用集塵丸のこの一実施形態を示す正面図。
【図２】図１のＣ−Ｃ線拡大断面図。
【図３】図１の要部断面側面図。
【図４】ベースを傾斜させた状態を示す要部断面側面図。
【図５】本発明携帯用集塵丸のこの他の実施形態を示す正面図。
【図６】図５の要部断面側面図。
【図７】ベースを傾斜させた状態を示す図５の要部断面側面図。
【図８】本発明携帯用集塵丸のこの他の実施形態を示す正面図。
【図９】図８の要部断面側面図。
【図１０】図９の要部拡大図。
【図１１】ベースを傾斜させた状態を示す図９の要部断面側面図。
【図１２】従来の携帯用集塵丸のこの一例を示す要部断面側面図。
【符号の説明】
１は本体、２はのこ刃、３は被切断材、４はソーカバー、６はベース、８は防塵カバー、１０はギヤカバー、１４はネジ、１５はバネである。
【図１】
0004067695.tif 000002
【図２】
0004067695.tif 000003
【図３】
0004067695.tif 000004
【図４】
0004067695.tif 000005
【図５】
0004067695.tif 000006
【図６】
0004067695.tif 000007
【図７】
0004067695.tif 000008
【図８】
0004067695.tif 000009
【図９】
0004067695.tif 000010
【図１０】
0004067695.tif 000011
【図１１】
0004067695.tif 000012
【図１２】
0004067695.tif 000013